(57)【要約】      （修正有）【課題】物品の上部空間を有効利用でき、利便性に優れたラックを提供する。【解決手段】ラック２は、フレームと複数の棚板６とを備えている。フレームは、複数の支柱８と、複数の左右部材１０と、複数のサイド部材１２とを有している。前記複数の支柱８が、２本の前支柱８ａと２本の後支柱８ｂとを含んでいる。前記複数の左右部材１０が、２本の前支柱８ａ間を水平に延びる複数の前部材１０ａと、２本の後支柱８ｂ間を水平に延びる複数の後部材１０ｂとを含んでいる。同じ高さ位置にある前部材１０ａと後部材１０ｂとで棚受け部３８が構成されている。高さ位置が異なる複数の棚受け部３８が設けられている。棚板６のそれぞれが、複数の棚受け部３８における任意の位置に載置されうる。ラック２は、最も下側に位置する棚受け部３８の下側に、前方に開放された物品配置空間Ｓ１を有する。【選択図】図５
0003225300.tif 000002
【実用新案登録請求の範囲】
【請求項１】
フレームと複数の棚板とを備えており、
前記フレームが、複数の支柱と、複数の左右部材と、複数のサイド部材とを有しており、
前記複数の支柱が、２本の前支柱と２本の後支柱とを含んでおり、
前記複数の左右部材が、２本の前記前支柱間を水平に延びる複数の前部材と、２本の前記後支柱間を水平に延びる複数の後部材とを含んでおり、
同じ高さ位置にある前記前部材と前記後部材とで棚受け部が構成されており、
高さ位置が異なる複数の前記棚受け部が設けられており、
前記棚板のそれぞれが、複数の前記棚受け部における任意の位置に載置可能であり、
最も下側に位置する前記棚受け部の下側に、前方に開放された物品配置空間を有するラック。
【請求項２】
全ての前記左右部材の長さが調整可能とされている請求項１に記載のラック。
【請求項３】
調整可能な前記左右部材の長さが、前記棚受け部に前記棚板を２枚並列できるような長さを含む請求項２に記載のラック。
【請求項４】
調整可能な前記左右部材の長さが、前記棚受け部に前記棚板を３枚並列できるような長さを含む請求項３に記載のラック。
【請求項５】
前記棚板が、前記左右部材と係合することで当該棚板の前後方向への移動を規制する係合部を有しており、
前記棚板が、前記棚受け部に載置されることで、左右方向への移動が可能で且つ前後方向への移動が規制された状態となる請求項１から４のいずれか１項に記載のラック。
【請求項６】
全ての前記棚板が同一である請求項１から５のいずれか１項に記載のラック。
【請求項７】
最も下側に位置する前記棚受け部の高さ位置が調整可能である請求項１から６のいずれか１項に記載のラック。
【請求項８】
前記棚受け部における前記前部材と前記後部材との前後方向における間隔が、３００ｍｍ以上４２０ｍｍ以下である請求項１から７のいずれか１項に記載のラック。
【考案の詳細な説明】
【技術分野】
【０００１】
本考案は、ラックに関する。より詳細には、本考案は、物品の上部空間の有効利用を可能とするラックに関する。
【背景技術】
【０００２】
実用新案登録第３０８６６５８号公報は、洗濯機の上部空間を有効利用しうるラックを開示する。
【先行技術文献】
【特許文献】
【０００３】
【特許文献１】実用新案登録第３０８６６５８号公報
【考案の概要】
【考案が解決しようとする課題】
【０００４】
洗濯機等、高さが低い物品については、その上部空間が有効利用されうる。物品の上部空間を有効に利用しうるラックについて、本考案者は、新たな構造を見いだした。この構造では、従来にない利便性が得られる。
【０００５】
本考案は、物品の上部空間を有効利用でき、利便性に優れたラックを提供する。
【課題を解決するための手段】
【０００６】
一つの態様では、ラックは、フレームと複数の棚板とを備えている。前記フレームが、複数の支柱と、複数の左右部材と、複数のサイド部材とを有している。前記複数の支柱が、２本の前支柱と２本の後支柱とを含んでいる。前記複数の左右部材が、２本の前記前支柱間を水平に延びる複数の前部材と、２本の前記後支柱間を水平に延びる複数の後部材とを含んでいる。同じ高さ位置にある前記前部材と前記後部材とで棚受け部が構成されている。高さ位置が異なる複数の前記棚受け部が設けられている。前記棚板のそれぞれが、複数の前記棚受け部における任意の位置に載置可能である。このラックは、最も下側に位置する前記棚受け部の下側に、前方に開放された物品配置空間を有している。
【考案の効果】
【０００７】
一つの側面では、物品の空間を有効利用でき、利便性に優れたラックが提供されうる。
【図面の簡単な説明】
【０００８】
【図１】図１は、一実施形態のラックの正面図である。
【図２】図２は、図１のラックの側面図である。
【図３】図３は、図１のラックの正面図である。ただし、図３では、図１に比べて、ラックの幅が広くされている。また図３では、洗濯カゴが置かれている。
【図４】図４は、図３の側面図である。
【図５】図５は、図１のラックの斜視図である。ただし、図５では、図１及び図３に比べて、ラックの幅が広くされている。
【図６】図６は、図１のラックに用いられている棚板の斜視図である。図６は、斜め下方から見た斜視図である。
【考案を実施するための形態】
【０００９】
以下、適宜図面が参照されつつ、実施形態が詳細に説明される。
【００１０】
図１は、一実施形態のラック２の正面図である。図２は、ラック２の側面図である。図３は、ラックの正面図である。ただし、図３では、図１に比べて、ラック２の幅が広くされている。また図３では、洗濯カゴが置かれている。図４は、図３のラック２の側面図である。図５は、ラック２の斜視図である。ただし、図５では、図１及び図３に比べて、ラック２の幅が広くされている。
【００１１】
ラック２は、フレーム４と、複数の棚板６とを備えている。フレーム４は、棒部材のみで形成されている。ラック２は、背板を有さない。ラック２は、側板を有さない。なお、フレーム４の一部に板状部材が設けられてもよく、例えばフレーム４が側板を有していても良い。
【００１２】
本実施形態では、全ての棚板６が同じ寸法である。全ての棚板６は、同一である。寸法（例えば幅）の異なる棚板６が混在していてもよい。
【００１３】
フレーム４は、複数の支柱８と、複数の左右部材１０と、複数のサイド部材１２と、支柱８の下端から所定の高さ位置までにおいて形成され前方に開放された物品配置空間Ｓ１とを有している。設置面ＦＬに置かれた物品が、物品配置空間Ｓ１に配置されうる。支柱８は、棒部材である。左右部材１０は、棒部材である。サイド部材１２は、棒部材である。
【００１４】
ラック２は、４本の支柱８を有する。各支柱８の下端はフレーム４が設置される接地面に当接している。各支柱８は、真っ直ぐに延びている。各支柱８は、鉛直方向に沿って延びている。支柱８は、曲がった部分を有していても良い。複数の支柱８は、２本の前支柱８ａと、２本の後支柱８ｂとを含んでいる。
【００１５】
ラック２は、６枚の棚板６を有する。各棚板６は、水平に載置されている。各棚板６は、載置されているだけであり、着脱自在である。各棚板６の位置は、任意に選択されうる。ラック２で使用される棚板６の枚数は、ラック２の用途や、使用時のラック２の幅などを考慮して、適宜設定されうる。一部の棚板６が使用されなくてもよい。
【００１６】
複数の左右部材１０は、前部材１０ａと後部材１０ｂとを含む。各前部材１０ａは、２本の前支柱８ａ間を水平に延びている。各前部材１０ａは、右側の前支柱８ａと左側の前支柱８ａとを繋いでいる。各後部材１０ｂは、２本の後支柱８ｂ間を水平に延びている。各後部材１０ｂは、右側の後支柱８ｂと左側の後支柱８ｂとを繋いでいる。
【００１７】
全ての左右部材１０において、左右部材１０の長さは調整可能である。すなわち、全ての前部材１０ａの長さは調整可能であり、全ての後部材１０ｂの長さは調整可能である。本実施形態では、全ての左右部材１０が、２重パイプ構造を有している。この２重パイプは、大径パイプと、この大径パイプに挿入された小径パイプと、ストッパーねじ１０ｃとを有する。この２重パイプ構造により、左右部材１０は伸縮可能である。図示しないが、ストッパーねじ１０ｃは、大径パイプのネジ穴に螺合しており、その先端が小径パイプに当接する。このストッパーねじ１０ｃを締め付けることで、大径パイプと小径パイプとの相対位置が固定され、左右部材１０の長さが固定される。左右部材１０の伸縮機構は、この２重パイプ機構に限定されない。全てのストッパーねじ１０ｃの左右方向位置は同じである。ラック２の幅を調整する際には、全てのストッパーねじ１０ｃを操作する必要があるが、これらの左右方向位置が同じであるため、この操作が行いやすい。また、各左右部材１０は軸回転することが可能であるため、ストッパーねじ１０ｃの突出方向は変更されうる。図１等ではストッパーねじ１０ｃの突出方向が下方向であるが、この突出方向を例えば水平方向あるいは上向きとすることもできる。
【００１８】
左右部材１０の長さを変えることで、ラック２の幅は変化する。例えば、物品配置空間Ｓ１に配置される物品の幅に対応して、ラック２の幅を変えることができる。
【００１９】
図１の状態では、ラック２の幅は、２枚の棚板６を並列させたときの幅に略等しい。図３の状態では、ラック２の幅は、３枚の棚板６を並列された時の幅に略等しい。図５の状態では、ラック２の幅は、３枚の棚板６を並列された時の幅よりも広い。このように、ラック２では、調整可能な左右部材１０の長さが、棚受け部３８に棚板６を２枚並列できるような長さを含む。また、調整可能な左右部材１０の長さが、棚受け部３８に棚板６を３枚並列できるような長さを含む。更に、調整可能な左右部材１０の長さは、棚受け部３８の幅が棚板６を３枚並列させた幅よりも大きくなるような長さを含む。調整可能な左右部材１０の長さは、棚受け部３８の幅が棚板６を４枚並列できるような長さを含んでいてもよい。
【００２０】
各サイド部材１２は、前支柱８ａと後支柱８ｂとの間に延びている。サイド部材１２は、前支柱８ａと後支柱８ｂとを繋いでいる。各サイド部材１２は、水平方向に延びている。サイド部材１２は、水平方向に対して傾斜していてもよい。
【００２１】
ラック２は、後部材１０ｂ同士の間に延びる補強部１４を有する。補強部１４は、後部材１０ｂ同士を繋いでいる。補強部１４は、ラック２の剛性を高める。
【００２２】
左右部材１０の前部材１０ａは、第１の高さ位置にある第１前部材２０と、第２の高さ位置にある第２前部材２２とを含んでいる。更に、前部材１０ａは、第３の高さにある第３前部材２４を有する。
【００２３】
左右部材１０の後部材１０ｂは、前記第１の高さ位置にある第１後部材３０と、前記第２の高さ位置にある第２後部材３２とを含んでいる。更に、後部材１０ｂは、前記第３の高さにある第３後部材３４を有する。
【００２４】
互いに同じ高さ位置にある前部材１０ａと後部材１０ｂとで、棚受け部３８が構成されている。棚受け部３８は、下側から順に、第１棚受け部４０と、第２棚受け部４２と、第３棚受け部４４とを有する。第１棚受け部４０が、最も下側の棚受け部３８である。この第１棚受け部４０の下側に、前方に開放された物品配置空間Ｓ１が形成されている。第１前部材２０より下側に、前部材１０ａは設けられていない。第１前部材２０よりも下側に、前支柱８ａ同士を繋げる部材は設けられていない。物品配置空間Ｓ１は、前方に開放されている。
【００２５】
第１棚受け部４０は、第１前部材２０と第１後部材３０とで構成されている。第２棚受け部４２は、第２前部材２２と第２後部材３２とで構成されている。第３棚受け部４４は、第３前部材２４と第３後部材３４とで構成されている。このように、高さが異なる複数の棚受け部４０，４２，４４が形成されている。
【００２６】
各棚板６は、互いに同じ高さ位置にある前部材１０ａと後部材１０ｂとの間に架け渡された状態で、左右部材１０上に載置されている。すなわち、各棚板６は、棚受け部３８に載置されている。棚板６の前端部は、前部材１０ａに載せられている。棚板６の後端部は、後部材１０ｂに載せられている。
【００２７】
図６は、棚板６の斜視図である。図６は、棚板６を下方から見た斜視図である。棚板６は、本体部６ａと、係合部６ｂとを有する。本体部６ａは、平板である。本体部６ａは、四角形の平板である。本体部６ａは、木板である。本体部６ａは、上面６２と下面６４とを有する。下面６４に、係合部６ｂが設けられている。なお、本体部６ａは、化粧板である。本体部６ａは、印刷された塩化ビニルフィルムが貼り付けられたＰＶＣ化粧板である。他の種類の化粧板が用いられても良い。化粧板でない木板が用いられても良い。木板以外の板が用いられても良い。
【００２８】
１枚の棚板６に、複数（４つ）の係合部６ｂが設けられている。４つの係合部６ｂは、下面６４の四隅近傍のそれぞれに設けられている。
【００２９】
複数の係合部６ｂは、前係合部６６と、後係合部６８とを含む。４つの係合部６ｂのうち、前側の２つが、前係合部６６である。４つの係合部６ｂのうち、後側の２つが、後係合部６８である。
【００３０】
棚受け部３８に載置された状態において、前係合部６６は、前部材１０ａに係合する。前係合部６６は、前部材１０ａの後側に当接する。この結果、棚板６の前側への移動が規制される。また、棚受け部３８に載置された状態において、後係合部６８は、後部材１０ｂに係合する。後係合部６８は、後部材１０ｂの前側に当接する。この結果、棚板６の後側への移動が規制される。前係合部６６と後係合部６８とにより、棚板６の前後方向への移動が規制される。棚板６を棚受け部３８に置くだけで、棚板６の前後方向への移動が規制される。棚受け部３８に置くだけで、棚板６は脱落しない。よって棚板６は、棚受け部３８に置くだけで、棚板として機能する。棚板６は、左右方向には移動しうる。このように、棚板６の係合部６ｂは、左右部材１０（前部材１０ａ、後部材１０ｂ）と係合することで、棚板６の前後方向への移動を規制している。ただし、棚板６が前後方向に僅かに移動しうる遊びは存在する。
【００３１】
なお、例えば、前係合部６６が前部材１０ａの前側に当接し、後係合部６８が後部材１０ｂの後側に当接してもよい。この場合も、棚板６の前後方向の移動が規制される。棚板６を棚受け部３８に置くだけで、棚板６の前後方向の移動が規制されるのが好ましい。
【００３２】
支柱８の下端から所定の高さ位置まで、前部材１０ａは設けられていない。ラック２が置かれた設置面ＦＬから所定の高さ位置まで、前部材１０ａが設けられていない。この結果、設置面ＦＬから最も下側の前部材１０ａまでの部分に、前方に開放された物品配置空間Ｓ１が形成されている。最も下側の前部材１０ａは、第１前部材２０である。設置面ＦＬから第１前部材２０までの部分に、物品配置空間Ｓ１が形成されている。よって、設置面ＦＬに置かれた物品が、この物品配置空間Ｓ１に配置されうる。図１では、洗濯機７０が仮想線で示されている。例えば、洗濯機７０が、物品配置空間Ｓ１に配置される。図１で示されている洗濯機７０はドラム式であるが、洗濯機７０は、例えば縦型であってもよい。縦型洗濯機の場合、第１前部材２０の位置がより上側に調整されてもよい。このように、ラック２により、洗濯機７０の上側空間が有効利用されうる。
【００３３】
ラック２の幅は、物品配置空間Ｓ１に配置される物品及びその他の状況に対応して調整されうる。例えば、ラック２の幅は、洗濯機７０の幅に対応して調整されうる。例えば、洗濯機７０が防水パンの上に置かれている場合、ラック２の幅は、この防水パンの幅に対応して調整されうる。物品配置空間Ｓ１に配置される物品は限定されず、あらゆる物品が配置されうる。
【００３４】
図２が示すように、左右部材１０は、ネジ７２によって支柱８に固定されている。支柱８には、ネジ７２に対応した複数のネジ穴７４が設けられている。このため、支柱８における左右部材１０の固定位置は変更することができる。
【００３５】
最も下側に位置する棚受け部３８の高さ位置が、調整可能である。換言すれば、第１棚受け部４０の高さ位置は、調整可能である。この高さ位置の調整により、物品配置空間Ｓ１の高さを変えることができる。物品配置空間Ｓ１に配置される物品に対応して、物品配置空間Ｓ１の高さを変えることができる。
【００３６】
ラック２は、ワイヤーネット部７６を有する。ワイヤーネット部７６は、ラック２の側面に設けられている。ワイヤーネット部７６には、例えばＳ字フックを掛けることができる。ワイヤーネット部７６は、ラック２の利便性を更に高める。
【００３７】
図５において両矢印Ｄ１で示されるのは、同じ高さ位置にある前部材１０ａと後部材１０ｂとの間隔である。すなわち、Ｄ１は、棚受け部３８における前部材１０ａと後部材１０ｂとの間隔である。この間隔Ｄ１は、前後方向に沿って測定される。この前後方向は、水平方向であって且つ左右部材１０の軸方向に対して垂直な方向である。
【００３８】
図３及び図４には、洗濯カゴ８０が示されている。間隔Ｄ１を所定の値に設定することで、洗濯カゴ８０が、傾斜した状態で、前部材１０ａと後部材１０ｂとの間に載置されうる。一般的な寸法の洗濯カゴを好適な角度で傾斜させる観点から、間隔Ｄ１は、３００ｍｍ以上４２０ｍｍ以下が好ましく、３２０ｍｍ以上４００ｍｍ以下がより好ましい。本実施形態では、間隔Ｄ１は３６１ｍｍ〜３６４ｍｍである。
【００３９】
ラック２では、第１棚受け部４０、第２棚受け部４２及び第３棚受け部４４で、間隔Ｄ１は同一である。よって、いずれの棚受け部３８にも、洗濯カゴ８０が傾斜した状態で載置されうる。さらに、洗濯カゴ８０は、水平な状態でも、棚受け部３８に載置することができる。
【００４０】
図６において両矢印Ｄ２で示されているのは、棚板６の奥行長さである。棚板６が棚受け部３８に載置されたとき、棚板６の奥行長さは、棚板６の前後方向長さである。長さＤ２は、上記間隔Ｄ１に対応して設定される。長さＤ２は、間隔Ｄ１にＸｍｍを加えた長さが好ましい。前部材１０ａに載る前端部及び後部材１０ｂに載る後端部を確保する観点から、このＸは、２０ｍｍ以上が好ましく、３０ｍｍ以上がより好ましく、３５ｍｍ以上がより好ましい。棚板６の寸法をラック２の奥行寸法に対応させる観点から、このＸは、８０ｍｍ以下が好ましく、７０ｍｍ以下がより好ましく、６０ｍｍ以下がより好ましい。本実施形態では、奥行長さＤ２は４００ｍｍである。
【００４１】
図６において両矢印Ｗ２で示されているのは、棚板６の幅である。棚板６が棚受け部３８に載置されたとき、棚板６の幅は、棚板６の左右方向長さである。幅Ｗ２が過小であると、一枚の棚板６に載せられる物品が限定される。また、幅Ｗ２が過小であると、所望の棚幅を確保するために必要な棚板６の数が過大となりうる。これらの観点から、幅Ｗ２は、２００ｍｍ以上が好ましく、２５０ｍｍ以上がより好ましい。幅Ｗ２が過大であると、複数の棚板６における配置の自由度が低減する。この観点から、幅Ｗ２は、４００ｍｍ以下が好ましく、３５０ｍｍ以下がより好ましい。本実施形態では、幅Ｗ２は３００ｍｍである。
【００４２】
図１及び図３において両矢印Ｗ１で示されるのは、ラック２の幅である。この幅Ｗ１は、左側の前支柱８ａ（の内側）と、右側の前支柱８ａ（の内側）との間の距離である。幅Ｗ１は、水平方向に沿って測定される。上述の通り、ラック２では、幅Ｗ１が調整されうる。幅Ｗ１は、最小値から最大値までの範囲で調整されうる。幅Ｗ１は、無段階で調整されうる。
【００４３】
上記２重パイプ構造において幅Ｗ１の最大値を大きくするには、最も縮んだ状態の２重パイプの長さを確保する必要がある。この観点から、幅Ｗ１の最小値は、５００ｍｍ以上が好ましく、５５０ｍｍ以上がより好ましく、５８０ｍｍ以上がより好ましい。左右部材１０の長さ調整の限界を考慮すると、幅Ｗ１の最大値は、１３００ｍｍ以下が好ましく、１２５０ｍｍ以下がより好ましい。本実施形態では、幅Ｗ１の最小値は６００ｍｍであり、幅Ｗ１の最大値は１１２０ｍｍである。
【００４４】
図１において両矢印Ｈ１で示されるのは、最も下側に位置する棚受け部３８の高さである。この高さＨ１は、水平な設置面ＦＬから前部材１０ａ（第１前部材２０）の下側までの鉛直方向距離である。高さＨ１は調整可能である。
【００４５】
物品配置空間Ｓ１に洗濯機を配置できるようにする観点から、高さＨ１の最小値は、９５０ｍｍ以上が好ましく、９８０ｍｍ以上がより好ましく、１０００ｍｍ以上がより好ましい。物品の上部空間の有効利用の観点から、高さＨ１の最小値は、１２００ｍｍ以下が好ましく、１１００ｍｍ以下がより好ましい。
【００４６】
このようなラック２は、以下の作用効果を奏する。
【００４７】
ラック２では、複数の棚板６のそれぞれが、棚受け部３８の任意の位置に配置されうる。第１棚受け部４０、第２棚受け部４２及び第３棚受け部４４のいずれにも、棚板６を配置することができる。また、各棚受け部３８において、左右方向位置も任意である。更に、棚板６を置かないこともできる。よって、複数の棚板６において、配置の自由度は高い。例えば図５のように、第１棚受け部４０に棚板６を配置し、この棚板６の上側の第２棚受け部４２に棚板６を配置しないことで、第１棚受け部４０の棚板６に背の高い物品を置くことができる。また、棚板６を配置しないことで、洗濯カゴ８０など、棚板６が無いことで好適に置くことができる物品を、棚受け部３８に置くことができる。棚板６が配置されない位置も自由であるから、洗濯カゴ８０などを置く位置も自由である。
【００４８】
棚板６の据え付けは、単に載置するだけで達成される。載置するだけで前後方向への移動が規制されるため、棚板６の固定作業は不要である。また棚板６は、左右方向へのスライド移動が可能である。よって、棚板６は、簡単に着脱及び移動することができる。
【００４９】
全ての棚板６が同じであるため、棚板６同士で互換性がある。このため、意図する棚板６の配置を容易に実現することができる。また、棚板６を並列させることで、連続し且つフラットな幅広い棚を形成することができる。棚板６が並列されると、棚板６の側面同士が突き合わされる。この結果、棚板６同士の境界に段差も隙間もない棚面が形成されうる。棚板６の並列により、段差及び隙間が無い、広い棚面が形成されうる。
【００５０】
ラック２の幅を調整することで、洗濯機及び防水パンを始めとして、様々な物品の幅に対応することができる。また、洗濯機などは限られた幅のスペースに置かれることがあるが、ラック２はこのスペースの幅に対応することもできる。ラック２は、例えばキッチンやリビングにも置くことができ、その場合も、ラック２の幅は、物品配置空間Ｓ１に配置される物品の幅に対応させることができ、ラック２が設置される場所の幅に対応させることもできる。ラック２は、物品配置空間Ｓ１に何も置かずに使用することもでき、この場合、物品配置空間Ｓ１を空間として活用することができる。
【００５１】
図１に示されるように、幅Ｗ１は、２枚の棚板６を並列させたときの合計幅（すなわち、Ｗ２×２）に合わせて調整することができる。この場合、棚受け部３８を２枚の棚板６で埋めることができる。また、図３に示されるように、ラック２の幅Ｗ１は、３枚の棚板６を並列させたときの合計幅（すなわち、Ｗ２×３）に合わせて調整することができる。この場合、棚受け部３８を３枚の棚板６で埋めることができる。
【００５２】
棚板６を並列させることで、棚の幅を広げることができる。このため、棚板６の幅Ｗ２よりも幅の広い物品を載せることができる。
【００５３】
棚板６の無い部分を設け、この部分に洗濯カゴ８０を傾斜した状態で配置することができる。洗濯カゴ８０は、その開口部が斜め前方に向いた状態で配置されうる。このため、洗濯カゴ８０からの洗濯物の取り出し、及び、洗濯カゴ８０への洗濯物の取り込みが容易に達成できる。よって、洗濯カゴ８０から洗濯機７０への洗濯物の移動が容易であり、洗濯機７０から洗濯カゴ８０への洗濯物の移動も容易である。
【００５４】
例えば、棚板を傾斜させ、この傾斜した棚板に洗濯カゴ８０を置けば、洗濯カゴ８０は傾斜しうる。しかし、ラック２では、棚板６を水平に設置できる棚受け部３８に、洗濯カゴ８０を斜めに載置することができる。よって、傾斜した棚板を設ける必要がなく、棚受け部３８の汎用性が高い。高さの異なる複数の棚受け部３８において、各棚板６の位置は自由であり、洗濯カゴ８０の位置も自由である。
【００５５】
このように、ラック２は、利便性が高い。
【００５６】
上述した実施形態に関して、以下の付記を開示する。
［付記１］
フレームと複数の棚板とを備えており、
前記フレームが、複数の支柱と、複数の左右部材と、複数のサイド部材とを有しており、
前記複数の支柱が、２本の前支柱と２本の後支柱とを含んでおり、
前記複数の左右部材が、２本の前記前支柱間を水平に延びる複数の前部材と、２本の前記後支柱間を水平に延びる複数の後部材とを含んでおり、
同じ高さ位置にある前記前部材と前記後部材とで棚受け部が構成されており、
高さ位置が異なる複数の前記棚受け部が設けられており、
前記棚板のそれぞれが、複数の前記棚受け部における任意の位置に載置可能であり、
最も下側に位置する前記棚受け部の下側に、前方に開放された物品配置空間を有するラック。
［付記２］
全ての前記左右部材の長さが調整可能とされている付記１に記載のラック。
［付記３］
調整可能な前記左右部材の長さが、前記棚受け部に前記棚板を２枚並列できるような長さを含む付記２に記載のラック。
［付記４］
調整可能な前記左右部材の長さが、前記棚受け部に前記棚板を３枚並列できるような長さを含む付記３に記載のラック。
［付記５］
前記棚板が、前記左右部材と係合することで当該棚板の前後方向への移動を規制する係合部を有しており、
前記棚板が、前記棚受け部に載置されることで、左右方向への移動が可能で且つ前後方向への移動が規制された状態となる付記１から４のいずれか１項に記載のラック。
［付記６］
全ての前記棚板が同一である付記１から５のいずれか１項に記載のラック。
［付記７］
最も下側に位置する前記棚受け部の高さ位置が調整可能である付記１から６のいずれか１項に記載のラック。
［付記８］
前記棚受け部における前記前部材と前記後部材との前後方向における間隔が、３００ｍｍ以上４２０ｍｍ以下である付記１から７のいずれか１項に記載のラック。
【産業上の利用可能性】
【００５７】
このラックは、洗濯機、キッチンにある諸物品、リビングにある諸物品等、あらゆる物品に対して用いられうる。
【符号の説明】
【００５８】
２・・・ラック
４・・・フレーム
６・・・棚板
６ａ・・・本体部
６ｂ・・・係合部
８・・・支柱
８ａ・・・前支柱
８ｂ・・・後支柱
１０・・・左右部材
１０ａ・・・前部材
１０ｂ・・・後部材
１０ｃ・・・ストッパーねじ
１２・・・サイド部材
１４・・・補強部
２０・・・第１前部材
２２・・・第２前部材
２４・・・第３前部材
３０・・・第１後部材
３２・・・第２後部材
３４・・・第３後部材
３８・・・棚受け部
４０・・・第１棚受け部
４２・・・第２棚受け部
４４・・・第３棚受け部
７０・・・洗濯機
Ｓ１・・・物品配置空間
【図１】
0003225300.tif 000003
【図２】
0003225300.tif 000004
【図３】
0003225300.tif 000005
【図４】
0003225300.tif 000006
【図５】
0003225300.tif 000007
【図６】
0003225300.tif 000008
【手続補正書】
【提出日】令和1年12月12日(2019.12.12)
【手続補正１】
【補正対象書類名】実用新案登録請求の範囲
【補正対象項目名】全文
【補正方法】変更
【補正の内容】
【実用新案登録請求の範囲】
【請求項１】
フレームと複数の棚板とを備えており、
前記フレームが、複数の支柱と、複数の左右部材と、複数のサイド部材とを有しており、
前記複数の支柱が、２本の前支柱と２本の後支柱とを含んでおり、
前記複数の左右部材が、２本の前記前支柱間を水平に延びる複数の前部材と、２本の前記後支柱間を水平に延びる複数の後部材とを含んでおり、
同じ高さ位置にある前記前部材と前記後部材とで棚受け部が構成されており、
高さ位置が異なる複数の前記棚受け部が設けられており、
前記棚板のそれぞれが、複数の前記棚受け部における任意の位置に載置可能であり、
最も下側に位置する前記棚受け部の下側に、前方に開放された物品配置空間を有するラック。
【請求項２】
全ての前記左右部材の長さが調整可能とされている請求項１に記載のラック。
【請求項３】
調整可能な前記左右部材の長さが、前記棚受け部に前記棚板を２枚並列できるような長さを含む請求項２に記載のラック。
【請求項４】
調整可能な前記左右部材の長さが、前記棚受け部に前記棚板を３枚並列できるような長さを含む請求項２に記載のラック。
【請求項５】
前記棚板が、前記左右部材と係合することで当該棚板の前後方向への移動を規制する係合部を有しており、
前記棚板が、前記棚受け部に載置されることで、左右方向への移動が可能で且つ前後方向への移動が規制された状態となる請求項１から４のいずれか１項に記載のラック。
【請求項６】
全ての前記棚板が同一である請求項１から５のいずれか１項に記載のラック。
【請求項７】
最も下側に位置する前記棚受け部の高さ位置が調整可能である請求項１から６のいずれか１項に記載のラック。
【請求項８】
前記棚受け部における前記前部材と前記後部材との前後方向における間隔が、３００ｍｍ以上４２０ｍｍ以下である請求項１から７のいずれか１項に記載のラック。